(57)【特許請求の範囲】
【請求項１】
電動送風機を内蔵する掃除機本体と、前記掃除機本体の上面を覆うものであって、成形基材と、前記成形基材を覆うフィルムと、前記成形基材と前記フィルムとの間の接着層とより構成される蓋体と、前記成形基材の端部に設けられ前記フィルムの裾部を取り囲む突起部と、を備え、前記フィルムは前記掃除機本体の意匠面側に設けられるとともに裾部は前記成形基材の意匠面に露出する構成とし、前記フィルムの前記蓋体の内側領域での厚みをＴ１とし、前記蓋体で端部領域での厚みをＴ２とした場合に、厚さＴ２は０．４×Ｔ１＜Ｔ２＜０．６×Ｔ１の条件を満たすことを特徴する電気掃除機。
【請求項２】
前記突起部の先端部が、三角形状である請求項１記載の電気掃除機。
【請求項３】
前記先端部の三角形状は、先端部の頂点の高さをＨとし、頂点から底辺に下ろした垂線と底辺との交点とフィルムの裾部側の角点との距離をＸとした場合に、下記条件（１）及び、（２）を満たすことを特徴とする請求項２記載の電気掃除機。
条件（１）  ａ＜＝Ｈ＜＝ｂ  （ａ＝Ｔ２ｍｍ、ｂ＝３×Ｔ２ｍｍ）
条件（２）  ｃ＜＝Ｘ＜＝ｄ  （ｃ＝１／２×Ｔ２ｍｍ、ｄ＝１．５ｍｍ）
【発明の詳細な説明】
【技術分野】
【０００１】
本発明は、フィルムにより加飾された電気掃除機に関する。
【背景技術】
【０００２】
従来、家電製品等の外観品位を向上させる手段には、塗装、光輝材の練り込みなどがあるが、その中の一つにフィルム加飾技術がある。フィルム加飾技術とは、印刷などで柄を加飾したフィルムで成形体を被覆する技術である。フィルム加飾技術の優位な点として、フィルムの状態で加飾の柄を印刷などで加飾できるため、塗装や光輝材の練り込みなどよりも、多種多様な柄や色使いが可能となり、より高い外観品位を得ることが可能となる。また、フィルムの材質を選択することで、耐傷付き性や汚れの防止といった機能を付加することも可能となる。
【０００３】
図６は、特許文献１に記載された従来の加飾成形品を示すものである。図６に示すように、加飾成形品１は、裏面側が凹面形状をした成形基材２が、その表面をシート状加飾フィルム３によって被覆されている。そして、図６に示すように、従来は、フィルム３の端部４が露出しないように、フィルム３の端部４を加飾成形品１の裏面に持っていくなどにより、フィルム３の端部４が人の目に触れないような構成としている。
【先行技術文献】
【特許文献】
【０００４】
【特許文献１】特開２００８−２８４７７１号公報
【発明の概要】
【発明が解決しようとする課題】
【０００５】
しかしながら、単に、上述の特許文献１に記載の従来のフィルム加飾技術を、従来の電気掃除機の蓋体に組み合わせただけでは、蓋体と掃除機本体との間の気密性を確実に保持させることができなかった。
【０００６】
すなわち、電気掃除機は、掃除機本体内に配置された電動送風機で発生された吸引風によって被清掃面上の塵埃を吸引する構成となっているため、掃除機本体に配置された蓋体を閉塞した状態において、掃除機本体と蓋体との間の気密性を確実に保持させる必要がある。
【０００７】
本発明は、上記従来技術の有する課題に鑑みてなされたものであり、蓋体と掃除機本体との間の気密性を確実に保持させることができ、電気掃除機の外観品位を向上させることができる電気掃除機を提供することを目的とする。
【課題を解決するための手段】
【０００８】
上記従来技術の有する課題を解決するために、本発明は、電動送風機を内蔵する掃除機本体と、前記掃除機本体の上面を覆うものであって、成形基材と、前記成形基材を覆うフィルムと、前記成形基材と前記フィルムとの間の接着層とより構成される蓋体と、前記成形基材の端部に設けられ前記フィルムの裾部を取り囲む突起部と、を備え、前記フィルムは前記掃除機本体の意匠面側に設けられるとともに裾部は前記成形基材の意匠面に露出する構成とし、前記フィルムの前記蓋体の内側領域での厚みをＴ１とし、前記蓋体で端部領域での厚みをＴ２とした場合に、厚さＴ２は０．４×Ｔ１＜Ｔ２＜０．６×Ｔ１の条件を満たすことを特徴する電気掃除機としたものである。
【０００９】
これにより、簡易な構成で掃除機本体とフィルム加飾された蓋体との間の気密性を確実に保持させることができ、電気掃除機の外観品位を向上させることができる。
また、蓋体にフィルムを貼付した後、フィルムが蓋体と掃除機本体との間に介在しない位置でフィルムをカットした場合であっても、蓋体の開閉動作時にフィルムの端部が掃除機本体の外郭の端部に引っ掛かったり、蓋体の開放時にフィルムの端部に使用者の指が引っ掛かったりすることをさらに十分に防止することができ、フィルムが蓋体から剥がれることをより確実に防止することができる。
ここで、フィルムの裾部とは、成形基材にフィルムを貼付した後に余分のフィルムを取り除いた後のカットラインの部分である。
【発明の効果】
【００１０】
本発明の電気掃除機によれば、簡易な構成で掃除機本体とフィルム加飾された蓋体との間の気密性を確実に保持させることができ、電気掃除機の外観品位を向上させることができる。
【図面の簡単な説明】
【００１１】
【図１】本発明の実施の形態１における電気掃除機の全体斜視図
【図２】本発明の実施の形態１における掃除機本体の断面図
【図３】（ａ）本発明の実施の形態１における蓋体の縦断面図、（ｂ）本発明の実施の形態１における蓋体の横断面図
【図４】本発明の実施の形態１における蓋体の上方平面図
【図５】本発明の実施の形態２における蓋体の部分拡大図
【図６】従来の加飾成形品の部分拡大図
【発明を実施するための形態】
【００１２】
第１の発明は、電動送風機を内蔵する掃除機本体と、前記掃除機本体の上面を覆うものであって、成形基材と、前記成形基材を覆うフィルムと、前記成形基材と前記フィルムとの間の接着層とより構成される蓋体と、前記成形基材の端部に設けられ前記フィルムの裾部を取り囲む突起部と、を備え、前記フィルムは前記掃除機本体の意匠面側に設けられるとともに裾部は前記成形基材の意匠面に露出する構成とし、前記フィルムの前記蓋体の内側領域での厚みをＴ１とし、前記蓋体で端部領域での厚みをＴ２とした場合に、厚さＴ２は０．４×Ｔ１＜Ｔ２＜０．６×Ｔ１の条件を満たすことを特徴する電気掃除機としたものである。
【００１３】
これにより、簡易な構成で掃除機本体とフィルム加飾された蓋体との間の気密性を確実に保持させることができ、電気掃除機の外観品位を向上させることができる。
また、蓋体にフィルムを貼付した後、フィルムが蓋体と掃除機本体との間に介在しない位置でフィルムをカットした場合であっても、蓋体の開閉動作時にフィルムの端部が掃除機本体の外郭の端部に引っ掛かったり、蓋体の開放時にフィルムの端部に使用者の指が引っ掛かったりすることをさらに十分に防止することができ、フィルムが蓋体から剥がれることをより確実に防止することができる。
【００１４】
ここで、意匠面とは、蓋体の上面であり、蓋体を閉じた状態において使用者の目に触れる側の面である。また、フィルムの裾部とは、成形基材にフィルムを貼付した後に余分の
フィルムを取り除いた後のカットラインの部分である。
【００１８】
第２の発明は、特に、第１の発明において、突起部の先端部が、三角形状であるものである。
【００１９】
これにより、成形基材に設けた突起部に掃除機本体の端部や使用者の指などが引っ掛かった場合でも、引っ掛かりによって突起部にかかる力を小さくすることができるため、成形基材にかかる応力を小さくすることができ、成形基材の変形及び成形基材（特に、突起部）の破損を十分に防止することができる。
【００２０】
第３の発明は、特に、第２の発明において、先端部の三角形状は、先端部の三角形状の頂点の高さをフィルム厚み以上、かつ、フィルム厚みの３倍以下とし、さらに、頂点から底辺への垂線との交点とフィルムの裾部側の頂点との距離が、フィルム厚みの半分以上、かつ、１．５ｍｍ以下としたものである。
【００２１】
先端部の高さが、フィルム厚み未満であると、フィルムのカット面である裾部を使用者が指で触れるおそれがあり、剥離の原因となる。一方、フィルム厚みの３倍より大きくなると、突起部の重心にフィルム面側から力が加わるおそれがあり、突起部の破損の原因となる。さらに、先端部とフィルム裾部との間が１．５ｍｍより大きく開いていると、使用者の爪が人為的に入るおそれがあり、剥離の原因となる。また、底辺が高さより短くなると、爪の入る隙間が小さくなるものの、突起部の割れ等の破損が発生する。
【００２２】
従って、本発明は、三角形状の高さ及びフィルム裾部までの距離を適正化することによって、第３発明の特徴である三角形状の突起部の強度を保つことができ、長期間、フィルム裾部への引っ掛かりを抑え、フィルムの剥離を防止することができる。
【００２３】
以下、図面を参照しながら本発明の電気掃除機の好適な実施形態について詳細に説明する。なお、以下の説明では、同一または相当部分には同一符号付し、重複する説明は省略する。
【００２４】
（実施の形態１）
本発明の電気掃除機の実施の形態１について、図１〜図５を用いて説明する。
【００２５】
図１は、本発明の実施の形態１における電気掃除機の全体斜視図である。また、図２は、本発明の実施の形態１における掃除機本体の断面図である。さらに、図３（ａ）は、本発明の実施の形態１における蓋体の縦断面図、図３（ｂ）は、本発明の実施の形態１における蓋体の横断面図である。そして、図４は、本発明の実施の形態１における蓋体の上方平面図である。
【００２６】
図１に示すように、電気掃除機１００は、吸引風を発生させる電動送風機（図示せず）を内蔵する掃除機本体５と、被清掃面の塵埃を吸引する吸込具１０１と、一端が吸込具１０１に着脱自在に接続される伸縮自在或いは継ぎ自在の延長管１０２と、一端が延長管１０２の他端に着脱自在に接続され、他端が掃除機本体５の前部に設けられた吸入口１０３に着脱自在に接続されるホース１０４と、から構成されている。
【００２７】
掃除機本体５の後方の両側面には、走行用の車輪１０５が回転自在に取り付けられている。また、掃除機本体５の下面の前部には、走行用のキャスター１０６が取り付けられている。さらに、掃除機本体５の前方の上部には、使用者が掃除機本体５を持ち運ぶ際に使用する本体ハンドル１０７が設けられている。
【００２８】
吸込具１０１には、被清掃面の塵埃を掻きあげる回転ブラシ１０８と、回転ブラシ１０８を回転駆動する駆動モータ１０９と、が内蔵されている。
【００２９】
ホース１０４の延長管１０２側の端部には、使用者が掃除の際に握る把手部１１０を有する先端パイプ１１１が設けられている。また、ホース１０４の掃除機本体５側の端部には、掃除機本体５の吸入口１０３に着脱自在に接続される接続パイプ１１２が設けられている。
【００３０】
図２に示すように、掃除機本体５は、掃除機本体５の下面を形成する下部材６と、後述する下部材６の後方の上面を形成する上部材７と、後述する集塵室８の上面及び上部材７
の上面を覆うとともに、掃除機本体５の上面を形成する蓋体９と、掃除機本体５の側面を形成するカバー体１０（図１参照）と、から構成されている。また、蓋体９の後部は、上部材７に回動自在に軸支されている。
【００３１】
掃除機本体５の後部には、吸引風を発生させる電動送風機１３を内蔵する電動送風機室１４が設けられている。また、掃除機本体５の前部には、塵埃を捕集する集塵袋１５が着脱自在に配置される集塵室８が設けられている。集塵袋１５は、ポリプロピレン等の熱可塑性繊維で構成されるとともに、エレクトレット加工されており、空気等の摩擦で帯電するように構成されている。
【００３２】
電動送風機１３は、主として、吸引風を発生させるファン（図示せず）と、ファンから放出された気流を整流するエアガイド（図示せず）と、ファンを回転駆動するモータ（図示せず）と、ファン及びエアガイドを内包するファンケース２０と、モータを内包するとともに、ファンケース２０に機密に取り付けられるモータケース２１と、から構成されている。
【００３３】
図３に示すように、蓋体９は、成形基材２と、成形基材２の上面を覆うフィルム３と、から構成されており、成形基材２とフィルム３との間には接着層３８が設けられている。フィルム３は、成形基材２の上面、すなわち、蓋体９を閉じた状態において使用者の目に触れる側の面に貼付されている。フィルム３は、蓋体９の開放状態において、フィルム３のカット部分であるフィルム裾部３５が蓋体９の意匠面に露出するように構成されている。
【００３４】
また、図４に示すように、フィルム３の蓋体９の内側領域３６での厚みをＴ１とし、蓋体の端部領域３７での厚みをＴ２とした場合に、厚さＴ２は、０．４×Ｔ１＜Ｔ２＜０．６×Ｔ１の条件を満たしている。
【００３５】
ここで、成形基材２に貼付するフィルム３は、加熱によって軟化する樹脂フィルムであれば特に限定されるものではなく、例えば、アクリル（ポリメタクリル酸メチル、ポリメタクリル酸エチル、ポリメタクリル酸プロピル、ポリメタクリル酸ブチルなど）、ＡＢＳ（アクリロニトリル−ブタジエン−スチレン）、ＰＣ（ポリカーボネート）、ポリエステ
ル（ポリエチレンテレフタレート、ポリブチレンテレフタレート、ポリエチレンナフタレート、ポリシクロヘキシルジメチレンテレフタレートなど）、ポリオレフィン、などが使用可能であり、２種以上のフィルムを積層することも可能である。その際、下の層のフィルムであって印刷層の下部に設けたフィルムは黒系色の方が好ましい。フィルム裾部３５でのカット面が目立ち難くなるからである。
【００３６】
最外層としては、１層、２層以上に関わらず、アクリルフィルムが透明性、耐傷付き性、耐候性の点で優れているため、加飾目的で最外層に使用するフィルムとして好ましい。
【００３７】
フィルム３に対する印刷方法では、グラビア印刷、シルクスクリーン印刷、オフセット印刷など使用でき、要求する外観の意匠性、フィルムに対する印刷性、フィルム作製数量により選択することができる。
【００３８】
接着層３８としては、ホットメルト系、感圧系、反応型、などがあるが、三次元形状に対する追従性から感圧型が望ましい。また、感圧系は、常温で接着、剥離が可能であるため、余分なフィルムの切除（トリミング）作業がし易い。さらに、剥離時は成形基材との界面で剥離するために、成形基材の表面に接着剤が残らず、外観品位を損なわない。
【００３９】
ここで、接着層の材質は、特に指定するものではなく、例えば、アクリル系、シリコー
ン系、ゴム系、ウレタン系などがある。特に、密着性、耐候性、耐熱性、耐溶剤性に優れるアクリル系が望ましい。
【００４０】
成形基材２としては、特に指定するものではなく、例えば、ＡＢＳ樹脂、ポリスチレン樹脂、ＰＣ樹脂、アクリル樹脂、ポリフェニレンエーテル樹脂、ＰＥＴ樹脂、ポリプロピレン樹脂などが使用できる。特に、ＡＢＳ樹脂が、機械強度（表面硬度）、表面平滑性（ひけが生じ難い）などから好ましい。
【００４１】
以上のように構成された電気掃除機について、以下、その動作、作用を説明する。
【００４２】
使用者により電気掃除機１００の運転が開始されると、電動送風機１３のモータ（図示せず）が駆動され、ファン（図示せず）が回転駆動される。
【００４３】
モータによってファンが回転駆動されると、電動送風機１３に設けられた吸気口（図示せず）から電動送風機１３の内部に外気が吸気され、電動送風機１３で吸引風が発生する。そして、被清掃面上の塵埃は、電動送風機１３の吸引風により、吸込具１０１の下面に設けられた吸込口（図示せず）から吸引され、延長管１０２及びホース１０４を介して、掃除機本体５の内部へと流入し、集塵袋１５によって捕集される。
【００４４】
本実施の形態においては、図４に示すように、フィルム３の厚みを、蓋体９の内側領域３６の厚みに比べて、蓋体９の端部領域３７の厚みを薄くした構成によって、フィルム３の厚み差により、蓋体９の内側領域３６においては、蓋体９の強度を補うことができ、蓋体９の端部領域３７においては、成形基材２の形状の変形を防止することができる。
【００４５】
一般的に、使用者が電気掃除機１００を使用して被清掃面上の掃除を行っている場合、掃除機本体５が横転したり、持ち運びの際に不注意で落下させたりする場合がある。このとき、掃除機本体５の天面から衝突したときに掃除機本体５の重さを受けるのは蓋体９であり、一定以上の強度が必要である。
【００４６】
また、電気掃除機１００の運転中においては、電動送風機１３で発生された吸引風によって集塵室８内に内圧が生じ、長期に渡ってこの内圧を負荷され続けると蓋体９を含む集塵室８を構成する部品の変形に生じる恐れがあるため、この点においても蓋体９には強度が必要である。フィルム３の蓋体９の内側領域３６での厚みはこの強度を補うことができる。厚いフィルム３で成形基材２を裏打ちすることで、成形基材２の内側に強度を補完するリブ等を設ける必要なく簡易な構成で蓋体９の強度を保持でき、如いては掃除機本体５と蓋体９との間の機密性を確実に保持させることができる。
【００４７】
また、蓋体９の端部領域３７での厚みを内側領域３６での厚みと同等の厚みとすると、蓋体９の端部領域３７での曲面の曲率は、内側領域３６での曲率に比べ大きいため、端部領域３７においてフィルム自身が曲面に沿って伸び難くなり、かつこの状態で成形基材２を覆ったときには、フィルム自身が十分に伸び変形せずに元に縮もうとする残留応力が残っているため、その残留応力によって、蓋体９の成形基材２が反り返る方向に力を受けて変形してしまう。変形が生じると、掃除機本体５と蓋体９との間の気密性を保持することができない。
【００４８】
そのため、蓋体の端部領域３７でのフィルム３の厚みを内側領域３６より薄くして、曲面に沿った伸び変形をし易くするため、フィルム３の蓋体９の内側領域３６での厚みをＴ１とし、蓋体の端部領域３７での厚みをＴ２とした場合に、厚さＴ２は、０．４×Ｔ１＜Ｔ２＜０．６×Ｔ１の条件を満たすようにすれば、蓋体９の強度を確保しながら変形防止ができる。
【００４９】
以上のように、フィルム３の厚みを、蓋体９の内側領域３６の厚みに比べて、蓋体９の端部領域３７の厚みを薄く構成したことによって、蓋体９の強度を確保しながら変形防止ができるため、簡易な構成で掃除機本体５とフィルム加飾された蓋体９との間の気密性を確実に保持させることができ、電気掃除機１００の外観品位を向上させることができる。
【００５０】
（実施の形態２）
本発明の電気掃除機の実施の形態２について、図５を用いて説明する。図５は、本発明の実施の形態２における蓋体９の部分拡大図を示している。蓋体９の成形基材２は、フィルム３によって加飾されており、成形基材２の外周端部には外周方向に突起する突起部３９を有している。また、突起部３９は、フィルム裾部３５を取り囲むように形成している。ここで、突起部３９は成形基材２と一体成形することも、別部品にすることも可能である。さらに、突起部３９の形状は、先端部を三角形状としている。
【００５１】
三角形状とは、鋭角の頂点４０を有する構造体で、フィルム裾部３５を保護するように配置されている。次に、先端部の頂点４０の高さをＨとし、頂点から底辺に下ろした垂線と底辺との交点と、フィルム裾部３５側との角４１との距離をＸとし、フィルム３の厚みをＴとした場合の、三角形状の寸法について説明する。
【００５２】
高さＨは、フィルム３の厚みＴ以上であり、Ｔの３倍以下であることが好ましい。厚み以上あることによって、フィルム裾部３５に対して、指の引っ掛かりを防ぐことができる。しかし、先端部の割れなどの破損の原因となるため、Ｈが高すぎても良くない。後述する実験によって、フィルム３の厚みが三角形状の重心程度の位置以上であれば、破損を抑えることが可能となることが分かった。
【００５３】
頂点４０とフィルム３との距離Ｘは、開きすぎていると、爪（厚みはおよそ１．５ｍｍ）が入るため、意図的な剥離の原因となる。一方、距離Ｘは小さいほど良いが、三角形状を二等辺三角形程度に想定した場合、Ｘが短くなると底辺が短くなり、Ｈに比べて底辺が短くなると、頂点４０が著しく鋭角となり、先端部の割れなどの破損の原因となる。後述する実験によって、底辺が高さＨと同等、すなわち、距離Ｘが高さＨの１／２程度であれば、破損を抑えられることが分かった。
【００５４】
以下、三角形状の寸法適正値について、実験により導き出した結果について説明する。
【００５５】
実験に使用する成形基材２はＡＢＳ樹脂製であり、突起部３９も同時成形した。また突起部３９の形状は二等辺三角形に近い形状となるよう研磨調整した。フィルム３はアクリル製であり、フィルム裾部３５の厚みは０．４ｍｍとした。トリミングは突起部３９の角４１の位置でカッターによって行った。
【００５６】
評価実験は、往復可動試験機による引掻き試験によって行った。試験機の可動部には、アクリル製の擬似爪（厚さ１．５ｍｍ）を設置し、錘によって、荷重５００ｇ重の力がフィルム面に対して垂直に掛かるように調節した。擬似爪は、突起部３９を越えて往復することとなる。判定は、４２０往復回数可動させたとき、フィルム３の剥がれ、破損、突起の破損がなく継続して使用が可能な場合は○、使用可能であるが剥離の兆候が見られる等の場合は△、破損等、外観異常の発生により明らかに使用ができない場合は×とした。
【００５７】
ここで、４２０回とは、１週間に１度ゴミを取り出し、８年間使用することを想定した場合の回数である。
【００５８】
以下、実験結果を表１に示す。
【００５９】
【表１】
0005879477.tif 000002
【００６０】
実験結果に示すように、フィルム３の厚みが０．４ｍｍの場合において、高さＨを０．２ｍｍ（フィルム３の厚みの１／２に相当）とした場合には、距離Ｘをいかように変更しようとも、フィルム３が剥離している箇所が見られた。一方、高さＨを０．４ｍｍ（フィルム３の厚みに相当）とした場合には、距離Ｘに依存し、距離Ｘが０．２ｍｍ（フィルムの厚みの１／２に相当）以上であって、１．５ｍｍ以下であれば、良好な結果を示した。
【００６１】
また、高さＨを０．８ｍｍ（フィルム３の厚みの２倍に相当）および１．２ｍｍ（フィルム３の厚みの３倍に相当）にした場合には、高さＨを０．４ｍｍ（フィルム３厚みに相当）とした場合と同様の結果を示した。一方、高さＨを１．６ｍｍ（フィルム３の厚みの４倍に相当）にした場合、および、高さＨを２．０ｍｍ（フィルム３の厚みの５倍に相当）にした場合には、距離Ｘへの依存性は示さず、いずれの場合であっても破損箇所が見られた。
【００６２】
上記の要素について考察をしてみると、高さＨが０．２ｍｍ（フィルム３の厚みの１／２に相当）とした場合には、フィルム３よりも突起部３９の形状が低い位置に配置されることになり、指が触れる等の突起部３９側からの力に対して、フィルムの端面で受ける形になると考えられるため、剥離や破損が生じると考えられる。
【００６３】
また、高さＨを１．６ｍｍ（フィルムの厚みの４倍に相当）とした場合には、逆に、フィルム３の破損は抑えられるものの、フィルム３側からの力に対して突起部３９の重心付近で受けることになるため、突起部３９が破損しやすくなると考えられる。従って、高さＨはフィルム３との関係において厚さＴ以上であって、かつ、３Ｔ以下であることが必要であるといえる。
【００６４】
また、距離Ｘについては、高さＨとの兼ね合いはあるものの、０．１ｍｍ（フィルム３の厚みの１／２以下に相当）の場合は、三角形状の傾斜が急峻すぎることにより、周方向において部分的に密着性が弱い部分が見られ、耐久性において劣ると考えられる。また、距離Ｘを２．０ｍｍにした場合には、三角形状の傾斜が緩やか過ぎることによって、突起部３９側から爪などが入り易くなるとともに、三角形状の頂点４０部が成形基材２部分の縁側によるので、破損が生じやすくなると考えられる。従って、距離Ｘについては１／２Ｔ以上であって、かつ、１．５ｍｍ以下である必要があるといえる。
【００６５】
なお、今回の実験では、フィルム３の厚みが０．４ｍｍであったが、それ以外の厚みであっても（フィルム厚みＴの値の範囲）、三角形状はフィルム３の厚みを基準とした相似形となるため、上述の条件が当てはまることは明らかである。
【００６６】
以上のように構成された蓋体９について、以下その作用を説明する。
【００６７】
成形基材２は端部において、フィルム裾部３５を取り囲むように突起部３９を備えたことにより、蓋体９にフィルム３を貼付した後、フィルム３が蓋体９と掃除機本体５との間に介在しない位置でフィルム３をカットした場合であっても、蓋体９の開閉動作時にフィルム３の端部４が掃除機本体５の外郭の端部に引っ掛かったり、蓋体９の開放時にフィルム３の端部４に使用者の指が引っ掛かったりすることを十分に防止することができ、フィルム３が蓋体９から剥がれることを防止できる。
【００６８】
また、突起部３９の先端部を三角形状としたことにより、成形基材２に設けた突起部３９に掃除機本体５の端部や使用者の指などが引っ掛かった場合でも、引っ掛かりによって突起部３９にかかる力を小さくすることができるため、成形基材２にかかる応力を小さくすることができ、成形基材２の変形及び成形基材２（特に、突起部３９）の破損を十分に防止することができる。
【００６９】
先端部の高さが、フィルム３の厚み未満であると、フィルム３のカット面であるフィルム裾部３５を使用者が指で触れるおそれがあり、剥離の原因となる。一方、フィルム３の厚みの３倍より大きくなると、突起部３９の重心にフィルム３面側から力が加わるおそれがあり、突起部３９の破損の原因となる。さらに、先端部とフィルム裾部３５との間が１．５ｍｍより大きく開いていると、使用者の爪が人為的に入るおそれがあり、剥離の原因となる。また、底辺が高さより短くなると、爪の入る隙間が小さくなるものの、突起部３９の割れ等の破損が発生する。
【００７０】
従って、本発明は、三角形状の高さ及びフィルム裾部３５までの距離を適正化することによって、三角形状の突起部３９の強度を保つことができ、長期間、フィルム裾部３５への引っ掛かりを抑え、フィルム３の剥離を防止することができるため、簡易な構成で掃除機本体５とフィルム加飾された蓋体９との間の気密性を確実に保持させることができ、電気掃除機１００の外観品位を向上させることができる。
【産業上の利用可能性】
【００７１】
本発明の電気掃除機によれば、簡易な構成で掃除機本体とフィルム加飾された蓋体との間の気密性を確実に保持させることができ、電気掃除機の外観品位を向上させることができるため、家庭用電気掃除機及び産業用電気掃除機の分野・用途に好適に適用することができる。
【符号の説明】
【００７２】
１  加飾成形品
２  成形基材
３  フィルム
４  端部
５  掃除機本体
６  下部材
７  上部材
８  集塵室
９  蓋体
１０  カバー体
１３  電動送風機
１４  電動送風機室
１５  集塵袋
２０  ファンケース
２１  モータケース
３５  フィルム裾部
３６  内側領域
３７  端部領域
３８  接着層
３９  突起部
４０  頂点
４１  角
１００  電気掃除機
１０１  吸込具
１０２  延長管
１０３  吸入口
１０４  ホース
１０５  車輪
１０６  キャスター
１０７  本体ハンドル
１０８  回転ブラシ
１０９  駆動モータ
１１０  把手部
１１１  先端パイプ
１１２  接続パイプ
【図５】
0005879477.tif 000003
【図１】
0005879477.tif 000004
【図２】
0005879477.tif 000005
【図３】
0005879477.tif 000006
【図４】
0005879477.tif 000007
【図６】
0005879477.tif 000008